【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
整形外科手術用システムであって、
複数のビームを備える、伸長ばね部材であって、前記ビームはそれぞれ、前記ばね部材を軸方向に伸展させるために、自由に偏向する側方構成要素を含む、伸長ばね部材と、
前記ばね部材を受容するように構成され、一方向前進のために構成される少なくとも１つの歯を含み、前記ばね部材と係止する、少なくとも１つの係留ヘッドと
を備える、システム。
【請求項２】
前記ヘッドのうちの２つを備える、請求項１に記載のシステム。
【請求項３】
前記ばね部材は、各ヘッドによって受容され、前記ヘッドは、反対方向に係止するように配向される、請求項２に記載のシステム。
【請求項４】
少なくとも部分的に前記ばね部材と整合される位置から前記ばね部材を横断する位置に回転可能な係留台座をさらに備える、請求項１に記載のシステム。
【請求項５】
前記ばね部材は、１つのヘッドによって受容される、請求項４に記載のシステム。
【請求項６】
前記ばね部材を受容するように構成されるシースをさらに備える、請求項１〜５のうちのいずれかに記載のシステム。
【請求項７】
前記ビームは、側方バーを備え、一対の対向ビームは、前記側方バーの外側範囲において接続される、請求項１〜６のうちのいずれかに記載のシステム。
【請求項８】
前記側方バーおよび前記側方バー間の接続は、一体である、請求項７に記載のシステム。
【請求項９】
前記一対の対向ビームは、中間コネクタによって、隣接する対のビームに接続される、請求項８に記載のシステム。
【請求項１０】
前記ばね部材は、側方バーおよび前記側方バー間のコネクタから成る、請求項８〜９のうちのいずれかに記載のシステム。
【請求項１１】
前記少なくとも１つの歯は、係止するために前記ビームと界面接触可能である、請求項１〜１０のうちのいずれかに記載のシステム。
【請求項１２】
前記少なくとも１つの歯は、前記ビーム間の空間内に係止される、請求項１１に記載のシステム。
【請求項１３】
前記ばね部材は、ＮｉＴｉ合金から成る、請求項１〜１２のうちのいずれかに記載のシステム。
【請求項１４】
前記ばね部材は、実質的に平坦である、請求項１〜１３のうちのいずれかに記載のシステム。
【請求項１５】
前記ばね部材は、約１０：１から約３０：１の間の幅対厚さの縦横比を有する、請求項１４に記載のシステム。
【請求項１６】
ある製造方法によって作製される整形外科手術用システムであって、
原材料を通して孔を切断し、あるばねパターンを備える伸長ばね部材を形成することと、
前記ばね部材内の貫通孔に隣接して、またはその中に係合するように構成される少なくとも１つの歯を含む、少なくとも１つの係留ヘッドを形成することと
を含む、システム。
【請求項１７】
前記ばね部材は、前記ばねパターンから成る、またはそれのみにおいて形成される、請求項１６に記載の方法。
【請求項１８】
遠位端を第１の骨部分を通して遠位に、近位端を第２の骨部分を通して近位に来るように、前記ばね部材を位置付けることと、
前記ばね部材の両端を固着させることであって、前記端部のうちの少なくとも１つは、歯止め界面を伴う係留ヘッドによって固着される、ことと、
前記係留ヘッドの位置を実質的に変化させず、前記ばね部材を前記歯止め界面において引張することと
をさらに含む、請求項１６〜１７のうちのいずれかに記載の方法。
【請求項１９】
前記ばね部材の遠位端は、最初に、少なくとも部分的に前記ばね部材と整合されるように位置付けられる、係留台座と固着され、前記ばね部材の遠位端を固着するように旋回される、請求項１６〜１８のうちのいずれかに記載の方法。
【請求項２０】
そうでなければ前記少なくとも１つの係留ヘッドの表面を越えて延在する、任意のばね部材材料を切断することをさらに含む、請求項１６〜１９のうちのいずれかに記載の方法。
【手続補正２】
【補正対象書類名】明細書
【補正対象項目名】００２２
【補正方法】変更
【補正の内容】
【００２２】
本主題のデバイス、それらが含まれるキット（アセンブリの有無にかかわらず）、使用方法（例えば、埋込、回復しながらの患者の治療の間、および／またはシステム除去のため）、および製造方法（生体内または生体外組成構成要素の組立を含む）は全て、本開示の範囲内に含まれる。それらのいくつかの側面は、前述の通りであって、より詳細な議論は、以下の図に関連して提示される。
本願明細書は、例えば、以下の項目も提供する。
（項目１）
整形外科手術用システムであって、
複数のビームを備える、伸長ばね部材であって、前記ビームはそれぞれ、前記ばね部材を軸方向に伸展させるために、自由に偏向する側方構成要素を含む、伸長ばね部材と、
前記ばね部材を受容するように構成され、一方向前進のために構成される少なくとも１つの歯を含み、前記ばね部材と係止する、少なくとも１つの係留ヘッドと、
を備える、システム。
（項目２）
前記ヘッドのうちの２つを備える、項目１に記載のシステム。
（項目３）
前記ばね部材は、各ヘッドによって受容され、前記ヘッドは、反対方向に係止するように配向される、項目２に記載のシステム。
（項目４）
少なくとも部分的に前記ばね部材と整合される位置から前記ばね部材を横断する位置に回転可能な係留台座をさらに備える、項目１に記載のシステム。
（項目５）
前記ばね部材は、１つのヘッドによって受容される、項目４に記載のシステム。
（項目６）
前記台座は、ストランドによって前記ばね部材に取り付けられる、項目４に記載のシステム。
（項目７）
前記台座は、前記ストランドによって前記ばね部材に縛り付けられる、項目６に記載のシステム。
（項目８）
前記ストランドは、前記ばね部材内の開口を通してループ状にされ、前記ストランドのループ状にされた部分によって受容される可撤性接続ロッドによって固着される、項目６に記載のシステム。
（項目９）
前記台座は、前記台座を軸方向に配向するための前記接続ロッドを受容する、項目８に記載のシステム。
（項目１０）
前記接続ロッドの近位端は、ねじ山付き界面を含む、項目９に記載のシステム。
（項目１１）
前記接続ロッドのねじ山付き界面に合致するねじ山付き界面を含む、延在ロッドをさらに備える、項目１０に記載のシステム。
（項目１２）
前記台座は、前記ばね部材の遠位端を受容する陥凹を含む、項目４−１１に記載のシステム。
（項目１３）
前記ばね部材の遠位端は、横方向ビームを備える、項目１２に記載のシステム。
（項目１４）
前記台座は、長方形本体を備える、項目４−１３に記載のシステム。
（項目１５）
前記台座は、前記横方向位置に向かって付勢される、項目４−１４に記載のシステム。
（項目１６）
前記ばね部材の一部は、前記台座を付勢する、項目１５に記載のシステム。
（項目１７）
前記ばね部材を受容するように構成されるシースをさらに備える、項目１−１６に記載のシステム。
（項目１８）
前記ばね部材は、前記シース内に受容される、項目１７に記載のシステム。
（項目１９）
前記ビームは、側方バーを備え、一対の対向ビームは、前記側方バーの外側範囲において接続される、項目１−１８に記載のシステム。
（項目２０）
前記側方バーおよび前記側方バー間の接続は、一体である、項目１９に記載のシステム。
（項目２１）
前記一対の対向ビームは、中間コネクタによって、隣接する対のビームに接続される、項目２０に記載のシステム。
（項目２２）
前記ばね部材は、側方バーおよび前記側方バー間のコネクタから成る、項目１９−２１に記載のシステム。
（項目２３）
前記少なくとも１つの歯は、係止するために前記ビームと界面接触可能である、項目１−２２に記載のシステム。
（項目２４）
前記少なくとも１つの歯は、前記ビーム間の空間内に係止される、項目２３に記載のシステム。
（項目２５）
前記ばね部材は、ＮｉＴｉ合金から成る、項目１−２４に記載のシステム。
（項目２６）
前記ＮｉＴｉ合金は、二元合金である、項目２５に記載のシステム。
（項目２７）
前記ＮｉＴｉは、約３７℃またはそれ未満のＡｆを有する、項目２５に記載のシステム。
（項目２８）
前記ＮｉＴｉは、伸展すると、超弾性を呈するように熱処理されている、項目２５に記載のシステム。
（項目２９）
前記ばね部材は、実質的に平坦である、項目１−２８に記載のシステム。
（項目３０）
前記ばね部材は、約１０：１から約３０：１の間の幅対厚さの縦横比を有する、項目２９に記載のシステム。
（項目３１）
ある製造方法によって作製される整形外科手術用システムであって、
原材料を通して孔を切断し、あるばねパターンを備える伸長ばね部材を形成するステップと、
前記ばね部材内の貫通孔に隣接して、またはその中に係合するように構成される少なくとも１つの歯を含む、少なくとも１つの係留ヘッドを形成するステップと、
を含む、システム。
（項目３２）
前記ばね部材は、前記ばねパターンから成る、またはそれのみにおいて形成される、項目３１に記載の方法。
（項目３３）
遠位端を第１の骨部分を通して遠位に、近位端を第２の骨部分を通して近位に来るように、前記ばね部材を位置付けるステップと、
前記ばね部材の両端を固着させるステップであって、前記端部のうちの少なくとも１つは、歯止め界面を伴う係留ヘッドによって固着される、ステップと、
前記係留ヘッドの位置を実質的に変化させず、前記ばね部材を前記歯止め界面において引張するステップと、
をさらに含む、項目３１または３２に記載の方法。
（項目３４）
前記ばね部材の各端部は、反対に面した係留ヘッドと固着される、項目３１−３３に記載の方法。
（項目３５）
前記ばね部材の遠位端は、最初に、少なくとも部分的に前記ばね部材と整合されるように位置付けられる、係留台座と固着され、前記ばね部材の遠位端を固着するように旋回される、項目３１−３３に記載の方法。
（項目３６）
そうでなければ前記少なくとも１つの係留ヘッドの表面を越えて延在する、任意のばね部材材料を切断するステップをさらに含む、項目３１−３５または３７−４０に記載の方法。
（項目３７）
少なくとも前記近位端を固着させるステップに先立って、前記ばね部材にわたってシースを前進させるステップをさらに含む、項目３１−３６または３８−４０に記載の方法。
（項目３８）
前記原材料は、平坦ワイヤ、細片、およびプレートから選択される、項目３１−３７、３９、または４０に記載の方法。
（項目３９）
前記原材料は、０．０３５〜０．０４インチまたは０．９〜１ｍｍ厚であるように選択される、または前記ばね部材が、そうなるように作製される、項目３１−３８または４０に記載の方法。
（項目４０）
前記ばね部材は、約１０：１から約３０：１の間の幅対厚さの縦横比を伴うように作製される、項目３１−３９に記載の方法。
（項目４１）
整形外科手術用システムであって、
複数のビームを備える、伸長ばね部材であって、前記ビームはそれぞれ、側方構成要素を含み、前記側方構成要素は、前記ばね部材を軸方向に伸展させるために、自由に偏向する、伸長ばね部材と、
前記ばね部材を受容するように構成される、少なくとも１つのアンカであって、前記アンカは、一方向前進のために構成され、前記ばね部材と係止する、第１および第２の歯を含み、前記歯は、前記ばね部材が前記アンカを通して受容されると、前記ばね部材の両側に位置し、前記第１の歯は、前記アンカの上部に隣接する前記アンカの本体に接続される第１の伸長部材またはビームによって支持され、前記第２の歯は、前記アンカの底部に隣接して接続される第２の伸長部材またはビームによって支持される、アンカと、
を備える、システム。
（項目４２）
前記アンカは、埋め込まれると組織を囲繞するため、外傷低減のための円弧状上部表面を含む、項目４１に記載のシステム。
（項目４３）
整形外科手術用システムであって、
上側または上部表面および下側または底部表面を有する、アンカと、
第１の歯を担持し、前記上側または上部表面に隣接して接続される、第１の伸長支持部材またはビームと、
第２の歯を担持し、前記下側または底部表面に隣接して接続される、第２の伸長支持部材またはビームと、
を備え、
各歯は、内向きに指向され、前記アンカ内に受容された伸長本体の少なくとも一部の一方向前進を可能にするように構成される、システム。
（項目４４）
前記伸長本体をさらに備える、項目４３に記載のシステム。
（項目４５）
前記歯は、前記伸長本体内に形成される開口と相互嵌合するように構成される、項目４４に記載のシステム。
（項目４６）
前記伸長本体は、ばね区分を備える、項目４４または４５に記載のシステム。
（項目４７）
前記伸長本体は、ばね区分から成る、項目４３−４５に記載のシステム。
（項目４８）
前記ばね区分は、複数のビーム間に形成される開口を含み、前記ビームはそれぞれ、前記伸長本体を軸方向に伸展させるために自由に偏向する、側方構成要素を含む、項目４６または４７に記載のシステム。
（項目４９）
前記下側または底部表面に隣接して接続される前記伸長支持部材またはビームは、約１つ分のビーム幅だけ、それが担持する前記歯を越えて延在する、項目４８に記載のシステム。
（項目５０）
前記アンカの上側または上部表面は、埋め込まれると組織を囲繞するため、外傷低減のために円弧状である、項目４３−４９または５１−５３に記載のシステム。
（項目５１）
前記アンカは、前記下側または底部表面に隣接する前記歯から横断して食付き部の面取りまたは切り落としを含む、項目４３−５０、５２、または５３に記載のシステム。
（項目５２）
各歯は、平坦面を含む、項目４３−５１または５３に記載のシステム。
（項目５３）
２つのアンカを含む、項目４３−５２に記載のシステム。